(57)【要約】【課題】  自分自身の身体を洗うことができない高齢者や、上肢機能に障害を持つ方々が入浴を行なう際、その洗身の手助けを行なう介助者が使用するための介助支援用具であり、洗身介助作業の流れの中で、介助者自身の手に付着した洗浄剤の泡を洗い流す必要が生じた場合、既設の手洗い蛇口栓に頼ることなく、ハンドシャワーのはね返り水を利用して、簡便かつ迅速に手洗いできる機能を備えた、ハンドシャワーヘッド保持具を提供する。【解決手段】  壁面に開口部（２）を設けた中空本体（１）にハンドシャワーヘッド収納容器（５）を併設することを特徴とする。【選択図】      図１
2005087707.tif 000002
【特許請求の範囲】
【請求項１】
壁面に開口部（２）を設けた中空本体（１）にハンドシャワーヘッド収納容器（５）を併設する。
以上のごとく構成された手洗い機能付ハンドシャワーヘッド保持具。
【発明の詳細な説明】
【技術分野】
【０００１】  本発明は、上肢の機能障害あるいは高齢等によって、自分自身の身体を洗うことができない方々が入浴を行なう際、その洗身の手助けをする介助者が使用するためのものであり、浴室内壁面に設置し、ハンドシャワーのはね返り水を利用することによって、介助者自身の手とハンドシャワーヘッドの握り部に付着した洗浄剤の泡を、同時にかつ素早く洗い流すことができる機能を備えた、ハンドシャワーヘッド保持具に関するものである。
【背景技術】
【０００２】  従来、浴室内壁面に取り付けられているハンドシャワーヘッドの保持具は、内面がテーパー形状をした差し込み式の受け具が一般的であり、これは単にシャワーヘッドを保持する機能しかなかった。
【発明の開示】
【発明が解決しようとする課題】
【０００３】  身体障害者施設や老人福祉施設などの社会福祉施設においては、疾病等による上肢の機能障害や麻痺、あるいは洗身意欲の欠如などの理由により、自分自身の身体を洗うことができない方々がおり、入浴する際に介助者がこれを代行する事も多い。
その洗身介助作業の流れとして、石鹸などの洗浄剤にて入浴者の身体をこすった後、ハンドシャワー水によってその泡を洗い流すが、次の介助動作に進むにあたり、介助者自身の手に付着している洗浄剤の泡も洗い流す必要がある。
この時、次のような問題点があった、
（イ）浴室内の設計上あるいは施工上の都合により、介助作業者の手の届く範囲内に手洗い蛇口栓が配備されていない場合があり、容易に手洗いできない事があった。
（ロ）洗身の介助作業を行なう時、通常は手洗い蛇口栓と介助者との間に入浴者が座る位置関係となるため、その身体が障害となって蛇口栓に手が届きにい場合があり、この時、誤ってお互いの身体が触れることにより不快感を与えたり、接触時の反動によってバランスを崩し転倒事故を誘発する危険性があった。
（ハ）大勢の入浴者の中には介助に抵抗したり、洗身中に突然椅子から立ち上がるなど身勝手な行動をとる方が少なからずおり、片手で動く相手の身体を支えつつもう一方の手を洗わねばならない事態も発生し、介助者自身身動きとれなくなる状況があった。
（ニ）洗身作業中に、既設のシャワーヘッド保持具まで手が届かない位置関係となってしまった場合には、シャワーヘッドを浴室の床面上に置くこともあり、歩行時の障害となったり、再度これを拾い上げる手間などが生じて作業効率の低下を招いていた。
【課題を解決するための手段】
【０００４】  本発明は、これらの欠点を除くためのものであり、それを図面について説明すれば、壁面に開口部（２）を設けた中空本体（１）にハンドシャワーヘッド収納容器（５）を併設する。
以上のごとく構成された、手洗い機能付ハンドシャワーヘッド保持具。
【発明の効果】
【０００５】  本発明は、以上のような構成であり、その効果は、
（イ）既設の手洗い蛇口栓に頼ることなく、ハンドシャワーのはね返り水を利用して、介    助者自身の手とハンドシャワーヘッドの握り部分に付着した洗浄剤の泡を、同時にか    つ素早く洗い流すことができるため、介助作業時の無理な姿勢や無駄な動きを解消す    ることができ、これに伴ってお互いの身体の接触による不快感や、接触時の反動によ    りバランスを崩すことによって誘発される、転倒事故を未然に防ぐことが可能となる    。
（ロ）浴室壁面への固定方法として吸盤を用いれば、入浴者の身体から少し離れた手洗い    や保持操作をするのに都合の良い、任意の個所を選んで簡単に取り付けることができ    、その後の位置の調整も容易に行なうことができる。
また、浴室の施工時に取り付けられた既設の嵌合式シャワーヘッド保持具が、介助    者にとって都合の良い位置にあるならば、これに固定して使用することも可能である    。
（ハ）シャワーヘッドの保持が簡単にできるため、これを浴室内の床面上に放置すること    もなくなり、歩行時の障害物とならずに安全であり、再度拾い上げる手間も省ける。
また、シャワーヘッドの収納や取り出しの操作も容易でかつ迅速に行なえるため、    作業性の向上を図ることもできる。
（ニ）ハンドシャワーヘッド収納容器の底部に設けてある、排水出口にホースを接続すれ    ば、ノズルから噴出された吐出水を周囲に飛散させることなく、入浴槽に誘導して補    助的な給湯を行なうことができ、入浴待機時間の短縮を図ることも可能である。
（ホ）構造が簡単であり、樹脂成型による製作が可能であるため、軽量かつ安価にて提供    することができる。
【発明を実施するための最良の形態】
【０００６】  側板（３）により両端面が閉鎖された円筒形状である中空本体（１）の円周曲面に、適当な大きさの開口部（２）を設け、その下部に排水口（６）を有するハンドシャワーヘッド収納容器（５）を併設し、中空本体（１）の外周壁背部に壁面固定用の吸盤（７）を添着する。
また、既設のシャワーヘッド保持具への取付けにも対応可能とするために、中空本体（１）の外周壁底部にテーパー形状突起（８）を突設する。
さらに、入浴槽にシャワー吐出水を誘導して、補助的な給湯を行なう必要がある場合には、排水口（６）にホース（９）を取り付けて配管を行う。
【実施例】
【０００７】  中空本体（１）の形状については、円筒のように内面が滑らかに湾曲している方が、シャワー水を一端受け止めた後、これを下部方向に円滑誘導し、再び外部に放出する機能に優れたシャワー水誘導面（４）を形成するのに都合はよいが、開口部（２）を有する中空状の容器であるならば、円筒に限らず多角柱や球体などでも良く、また、これらの外部形状にとらわれることなく、シャワー水誘導面（４）を別途に内部形成する２重構造としたり、Ｕ字型の中空パイプを用いても、シャワー水の円滑な誘導放出は可能である。
シャワーヘッドの保持についても、ハンドシャワーヘッド収納容器（５）のような器状ではなく、ハンドシャワーヘッド支持棒（１３）を突接し、ハンドシャワーヘッド（１０）の両側部を支えながら、保持できるようにしてもよい。
【産業上の利用可能性】
【０００８】  本発明は、樹脂材による射出成型が可能であり、これを浴室壁面に取り付ける時は、介助者が手洗いや保持操作しやすい位置を定めて、吸盤（７）をタイル壁面（１２）に圧着して固定するか、あるいは既設の嵌合式ハンドシャワーヘッド保持具にテーパー形状突起（８）を嵌合すればよい。
また、介助者が手に付着した泡を洗い流す場合には、シャワー水が噴出した状態でシャワーノズル（１１）を開口部（２）にかざせば、側板（３）によって両側面が封鎖されているため、シャワー水が外部に漏出することなくシャワー水誘導面（４）の湾曲内面に沿って円滑に誘導され、開口部（２）の下部出口より放出される。
この勢い良く放出されたシャワー水によって、介助者自身の手とハンドシャワーヘッド（１０）の握り部に付着している洗浄剤の泡を、同時に流水洗浄することができる。
ハンドシャワーヘッド（１０）を保持する場合には、ハンドシャワーヘッド収納容器（５）にその先端部を差し込むだけで良く、さらに、このヘッド保持の状態においてシャワー水を吐出させると、排水口（６）に接続されたホース（９）を経由させて入浴槽に給湯を行なうことができる。
【図面の簡単な説明】
【０００９】
【図１】シャワーヘッド握り部の流水洗浄時を示す斜視図である。
【図２】その他の形状と構造、およびシャワーヘッド保持の状態を示す断面図である。
【符号の説明】
【００１０】    １  中空本体                                ８  テーパー形状突起
２  開口部                                  ９  ホース
３  側板                                  １０  ハンドシャワーヘッド
４  シャワー水誘導面                      １１  シャワーノズル
５  ハンドシャワーヘッド収納容器          １２  タイル壁面
６  排水口                                １３  ハンドシャワーヘッド支持棒
７  吸盤                                  １４  仕切板
【図１】
2005087707.tif 000003
【図２】
2005087707.tif 000004